(57)【特許請求の範囲】
【請求項１】
バースト信号中の所定位置に配された一定パターンの特定データを検出して、検出した特定データに同期させて、上記バースト信号の受信処理を行うバースト信号受信方法において、
受信したデータを、上記特定データのビット周期よりも長いサンプリング周期で間引いてサンプリングし、このサンプリングされた信号と予め用意された同じサンプリング周期のデータとを比較して、上記特定データの検出を行うようにした
バースト信号受信方法。
【請求項２】
上記比較によりほぼ一致が検出されたとき、上記受信したデータを上記ビット周期より長いサンプリング周期でサンプリングされたデータに基づいて、上記特定データの確認を行うようにした
請求項１記載のバースト信号受信方法。
【請求項３】
受信データの相関パワーに基づいて、データを確認するようにした
請求項２記載のバースト信号受信方法。
【請求項４】
受信したバースト信号中の所定位置に配された一定パターンの特定データを検出して、検出した特定データに同期させて、上記バースト信号の受信処理を行うバースト信号受信装置において、
受信したデータを、上記特定データのビット周期よりも長いサンプリング周期で間引いてサンプリングするサンプリング手段と、
該サンプリング手段でサンプリングされたデータと、予め用意された同じサンプリング周期の基準データとを比較する比較手段とを備えた
バースト信号受信装置。
【請求項５】
受信したデータを、上記特定データのビット周期よりも長いサンプリング周期で間引いてサンプリングするサンプリング手段を備え、
上記比較手段でほぼ一致が検出されたとき、このサンプリング手段の出力に基づいて、上記特定データの確認を行うようにした
請求項４記載のバースト信号受信装置。
【請求項６】
受信データの相関パワー検出手段を設け、この検出手段の出力に基づいて、上記特定データの確認を行うようにした
請求項５記載のバースト信号受信装置。
【発明の詳細な説明】
【０００１】
【発明の属する技術分野】
本発明は、バースト信号受信方法及びバースト信号受信装置に関し、特にデジタルデータ化されたバースト信号の伝送を行うデジタル無線電話システムの端末装置に適用して好適なバースト信号受信方法及びバースト信号受信装置に関する。
【０００２】
【従来の技術】
従来、無線電話システムとして、音声信号などの伝送データをデジタルデータ化すると共に、このデジタルデータに同期データなどの各種データを付加して所定期間毎のスロットデータとし、このスロットデータを時分割で送受信するＴＤＭＡ方式（時分割多元接続方式）と称される伝送方式が適用されたものがある。このような伝送方式による無線電話システム（例えばＧＳＭ方式）においては、所定間隔で配置された基地局と、無線電話装置である端末装置との間で、上述した伝送方式による無線通信を行って無線通信による電話回線を設定させるものであるが、各端末装置で無線電話回線を設定させる場合には、まず予め決められたチャンネルである制御チャンネルを検出して、この制御チャンネルで伝送されるデータの受信を行い、この受信したデータで指示される状態に端末装置の送受信状態を設定することで基地局との間の通信が開始される。
【０００３】
ここで、制御チャンネルで基地局から送信されるバースト信号には、所定周期（例えば１０又は１１フレーム周期）で、ＦＣＣＨ（ｆｒｅｑｕｅｎｃｙ  ｃｏｒｒｅｃｔｉｏｎ  ｃｈａｎｎｅｌ）と称される所定パターンの信号（キャリア周波数から約＋６７ｋＨｚオフセットした周波数の正弦波信号）が配され、端末装置側ではこのＦＣＣＨを基準にして処理タイミングを補正すると共に、必要な情報が送出されるスロットタイミングを大まかに検出するようになされている。
【０００４】
このＦＣＣＨは、復調した際に値「０」のデータが所定ビット数だけ連続するようにビットパターンが割当てられた同期信号で、ＧＳＭ方式の場合には、このビットパターンを畳み込み符号化した後、ＧＭＳＫ変調（ｇａｕｓｓｉａｎ  ｆｉｌｔｅｒｅｄ  ｍｉｎｉｍｕｍ  ｓｈｉｆｔ  ｋｅｙｉｎｇ変調）して伝送する。これにより、図９に示すように、ＦＣＣＨは、９０度位相がずれて信号レベルが正弦波状に変化するＩ信号及びＱ信号の合成波で伝送され、制御チャンネルにおいては、このＦＣＣＨを送出する間、キャリア周波数が＋６７．７ｋＨｚオフセットする。
【０００５】
従って、この方式を採用する端末装置では、バンドパスフィルタを用いて受信信号からこのＦＣＣＨの信号成分を抽出することにより、ＦＣＣＨのタイミングを検出でき、このタイミング検出結果を基準にして全体の動作を制御チャンネルに大まかに同期させるようにしてある。
【０００６】
【発明が解決しようとする課題】
ところで、ＧＳＭ方式の場合には、同期データであるＦＣＣＨが伝送される期間は、約５５０μ秒と非常に短い期間であり、通常のバンドパスフィルタなどでこれを正確に検出するのは困難である。また、通常の信号成分中にも、このキャリア周波数から６７．７ｋＨｚオフセットした成分はある程度含まれているので、バンドパスフィルタで抽出させるだけでは、他の期間の信号をＦＣＣＨであると誤検出する可能性もある。さらに、この種の端末装置での受信状態は悪い場合が多々あり、ノイズやフェージングにより歪んでいることが多く、この点からもＦＣＣＨを正確に検出することは非常に難しい。
【０００７】
このため、バンドパスフィルタで抽出して検出するのではなく、受信信号をデジタルデータに変換して、その変換されたデータを端末装置内のデジタル処理系での演算で判断して、ＦＣＣＨを検出することが提案されている。ところが、ＦＣＣＨを検出するための専用のデジタル処理回路を設けるのは、端末装置の構成が複雑になるので好ましくない。従って、端末装置がデータ処理用として備えるＤＳＰ（Ｄｉｇｉｔａｌ  Ｓｉｇｎａｌ  Ｐｒｏｃｅｓｓｏｒ）と称されるデジタル処理回路内で、ＦＣＣＨの検出処理を行うことが考えられるが、他のデータ処理を行うＤＳＰでは検出処理に時間がかかって、リアルタイムでＦＣＣＨを検出するのは困難である。例え検出処理がリアルタイムで可能であったとしても、ＦＣＣＨを検出するための負担が重くなってしまい、他の信号処理を行う余裕がほとんどなくなってしまい、ＤＳＰに対する割り込み処理などが出来なくなってしまう。
【０００８】
本発明はかかる点に鑑み、簡単な処理で迅速に同期データとの同期処理ができるようにすることを目的とする。
【０００９】
【課題を解決するための手段】
この問題点を解決するために、本発明は、受信したデータを、受信データに含まれる特定データのビット周期よりも長いサンプリング周期で間引いてサンプリングし、このサンプリングされた信号と予め用意された同じサンプリング周期のデータとを比較して、特定データの検出を行うようにしたものである。
【００１０】
かかる処理を行うことで、長いサンプリング周期でサンプリングされた少ないデータから同期データの検出処理が行われ、少ないデータ処理で同期データを検出できるようになる。
【００１１】
【発明の実施の形態】
以下、本発明の一実施例を添付図面を参照して説明する。
【００１２】
本例においては、ＴＤＭＡ方式の通信方式でスロット構成のバーストデータが間欠的に送受信される無線電話システム用の端末装置に適用したもので、まずその端末装置の全体構成を、図１に示す。
【００１３】
端末装置１は、基地局から送出された無線信号をアンテナ２で受信し、その結果得られる受信信号をアンテナ共用器（図示せず）を介して増幅回路３に供給する。増幅回路３は、所定利得でこの受信信号を増幅処理した後、高周波処理回路（ＲＦ処理回路）４で周波数シンセサイザが出力する周波数信号を使用して周波数変換し、中間周波信号を得る。ここで、周波数シンセサイザの出力周波数を切換えることで、所望のチャンネルを選択的に受信することができる。そして、この高周波処理回路４内で中間周波信号を直交検波して、受信信号に直交変調されているＩ信号及びＱ信号を復調する。そして、復調されたＩ信号及びＱ信号を、内蔵されたアナログ／デジタル変換器でデジタルデータ（Ｉデータ及びＱデータ）に変換する。そして、この変換されたＩデータ及びＱデータを、データ処理回路５に供給する。
【００１４】
データ処理回路５は、このＩデータ及びＱデータを処理する集積回路であるデジタルシグナルプロセッサ（ＤＳＰ）で構成され、Ｉデータ及びＱデータから元の畳込み符号化データを復調する処理を行う。このとき、波形等化すると共に歪み補正を行って畳込み符号化データを出力する処理を行い、フェージングやマルチパスの影響を低減するようにしてある。さらに、データ処理回路５では、Ｉデータ及びＱデータを基準にしてＦＣＣＨを検出すると共に、この検出結果に基づいて周波数誤差を検出し、その検出結果を基準にしてデータ処理回路５などの動作を制御し、これにより周波数誤差を補正するようにしてある。
【００１５】
そして、畳込み符号化データを復号した後、誤り訂正処理を行い、その結果得られる復号データの内の音声データを音声処理回路６に供給すると共に、復号データの内の制御データを中央制御装置８に供給する。
【００１６】
音声処理回路６では、供給される音声データを音声伸長処理して圧縮されてない音声データとし、この処理された音声データを内蔵されたデジタル／アナログ変換器でアナログ音声信号に変換し、変換された音声信号をスピーカ７に供給して出力させる。
【００１７】
また中央制御装置８は、この端末装置の動作を制御するコントローラとして機能するマイクロコンピュータで構成され、データ処理回路５から供給される制御データに基づいて送受信チャンネルの切換えや、通信タイミングの設定などの各種制御が行われる。
【００１８】
次に、この端末装置１の送信系の構成について説明すると、マイクロホン９が出力する音声信号を、音声処理回路６でデジタル音声データに変換した後、音声圧縮処理された音声データとする。そして、この圧縮処理された音声データを、データ処理回路５に供給して、誤り訂正符号などを付加して畳込み符号化する。また、中央制御装置８から出力される種々の制御コードについても、データ処理回路５に供給して、畳込み符号化する。
【００１９】
高周波処理回路４は、データ処理回路５から出力される畳込み符号化データをＧＭＳＫ変調（Ｇａｕｓｓｉａｎ−ｆｉｌｔｅｒｅｄ  Ｍｉｎｉｍｕｍ  Ｓｈｉｆｔ  Ｋｅｙｉｎｇ変調）して送信信号を生成し、この送信信号を送信周波数に周波数変換する。そして、この周波数変換された送信信号を増幅回路１０を介してアンテナ２に供給し、基地局などに対して無線送信させる。
【００２０】
なお、端末装置１内の中央制御装置８は、データ処理回路５で検出される所定のタイミング検出結果を基準にして、送信と受信のタイミングの切換えの制御を行う。これにより時分割多重化の手法を適用して基地局から複数の端末装置に対して送出される信号の内、自局に割当てられた受信用のタイムスロットを選択して受信すると共に、自局に割当てられた送信用のタイムスロットを選択して基地局に対して音声データなどを送信する処理が行われる。
【００２１】
この場合、中央制御装置８は、接続されたＲＡＭ１３にワークエリアを確保してＲＯＭ１１に格納された処理プログラムを実行するようになされ、これにより必要に応じて各回路に制御コードを出力して全体の動作を制御する。例えば表示キー入力部１２の所定のキーが操作されると、基地局に対して接続要求信号を送出する。また、基地局側から呼び出し信号が伝送されると、受信チャンネルなどを該当するチャンネルに切換えるようになされている。
【００２２】
次に、本例の端末装置１の受信系の詳細を、図２を参照して説明する。アンテナ２で受信した信号は、選局処理と中間周波処理と検波処理とが高周波回路１５で行われ、検波信号であるＩ信号及びＱ信号がアナログ／デジタル変換器１６に供給される。そして、アナログ／デジタル変換器１６では、Ｉ信号とＱ信号とのそれぞれに対してデジタル変換処理を施し、デジタルＩデータ及びデジタルＱデータを生成させる。そして、このＩデータ及びＱデータを、上述したデータ処理回路５に相当するデータ処理用デジタルシグナルプロセッサ（ＤＳＰ）１７に供給し、元のデータ列に復号する。
【００２３】
このときデータ処理用ＤＳＰ１７は、Ｉデータ及びＱデータを基準にしてＦＣＣＨの検出処理を実行し、さらに受信信号の等化処理，復号したデータ列のエラー訂正処理を実行する。
【００２４】
これに対して音声処理回路６は、音声データを処理する音声処理用デジタルシグナルプロセッサ（ＤＳＰ）１８で構成され、データ処理用ＤＳＰ１７から供給される音声データをデータ伸長することにより、音声圧縮されて伝送されたデータ列を元のデータ列に戻し、このデータ列をアナログ信号に変換してスピーカ７から出力させる。
【００２５】
ここで、このような一連の処理を開始する前に、端末装置１は制御チャンネルを受信し、初めにＦＣＣＨを基準にして、基地局から伝送されるバースト信号に同期させるフレーム同期処理を行う。さらに、このＦＣＣＨを基準にして内部クロックの周波数誤差を検出して周波数ずれを補正し、さらに所定のバーストを基準にして全体の動作を受信データに同期させ、その後所定のタイムスロットを受信して所望の情報を受信する。
【００２６】
このとき、本例のデータ処理用ＤＳＰ１７では、受信して得たＩデータとＱデータと、所定の基準データとの間で相関値を検出し、これによりＦＣＣＨを検出する処理を行う。そして、このＦＣＣＨのタイミングを検出すると、このタイミングを基準にして中央制御装置８側に用意されたタイムベースカウンタをセットし、これにより端末装置１の全体の動作をフレーム同期させる。
【００２７】
ここで、本例の端末装置１で受信されるＦＣＣＨについて説明すると、ＦＣＣＨが伝送されるＩ信号及びＱ信号は、従来例で説明（図９参照）したように、９０度位相がずれて信号レベルが正弦波状に変化するＩ信号及びＱ信号の合成波であり、アナログ／デジタル変換器１６でこのＩ信号及びＱ信号に同期したタイミングで１ビットにつき１サンプルずつサンプリングすれば、その結果得られるＩデータ及びＱデータは、図３に示すように、直交するＩ軸とＱ軸とで形成される複素平面上をπ／２ラジアンずつ反時計回りで回転するような円形の軌跡を形成する。即ち、１ビットにつき１サンプルずつサンプリングした場合には、ある信号座標点Ｒ１（Ｉ１，Ｑ１）からＲ２（Ｉ２，Ｑ２），Ｒ３（Ｉ３，Ｑ３），Ｒ４（Ｉ４，Ｑ４）‥‥と変化する。このように１ビットにつき１サンプルずつサンプリングして処理できれば、ＦＣＣＨが検出できるのであるが、例えばＧＳＭ方式のようなデジタルセルラ方式の無線電話システムでは、伝送ビットレートが約２７０ｋｂｐｓと高く、１ビット当たりの処理時間は極めて短く、データ処理用ＤＳＰ１７でこの検出を行うと、そのための負担が非常に大きくなって、他の処理ができなくなってしまう。
【００２８】
ここで本例においては、このＦＣＣＨの検出処理として、入力データを２サンプリングに１回だけ使用するようにして、データ処理用ＤＳＰ１７内の負担を少なくして検出できるようにしてある。即ち、ＦＣＣＨ自体は直交検波後のＩ，Ｑそれぞれの波形を見ると単純な正弦波であるので、ある信号座標点Ｒ１（Ｉ１，Ｑ１）から２ビット分の時間間隔離れた点での信号座標Ｒ３（Ｉ３，Ｑ３）が、１８０度回転したところにあれば、この信号軌跡は円周上を半回転したものと見なすことができる。
【００２９】
そして、このような２ビット毎の信号座標の１８０度毎の回転を連続して検出することによりＦＣＣＨを検出できるので、本例の場合にはこれを利用して入力データを２サンプリングに１回だけ使用して、ＦＣＣＨを検出するようにしてある。
【００３０】
なお、２サンプルに１回ずつ検出した場合には、信号がＦＣＣＨでないのに、誤ってＦＣＣＨを検出してしまうことがある。即ち、図４に示すように、受信データとして、ＦＣＣＨとはＩ信号とＱ信号との位相差が逆の状態で９０度位相がずれて信号レベルが正弦波状に変化する合成波（この信号を偽ＦＣＣＨと称する）の場合には、ＦＣＣＨであると誤って検出してしまう。実際にはこのような偽ＦＣＣＨの状態が長時間連続することは極めてまれであり、実用上ではほとんど問題はないが、この偽ＦＣＣＨをＦＣＣＨと誤検出することを防止するようにしてある。
【００３１】
次に、本例のデータ処理用ＤＳＰ１７でのＦＣＣＨの検出処理を、図５のフローチャートを参照して説明する。まず、サンプル数をカウントするカウンタ及び累積加算を値０にセットすると共に、演算用の定数を値１２８に設定し、これにより相関検出処理に必要な変数を初期化する（ステップ１０１）。
【００３２】
続いてデータ処理用ＤＳＰ１７はＩデータ及びＱデータを取り込み（ステップ１０２）、その取り込んだデータのデータ番号（Ｉｉ，Ｑｉのｉの値）が偶数か否か判断する（ステップ１０３）。ここで、データ番号が偶数でない場合（即ち奇数である場合）には、ステップ１０２に戻って次のデータの取り込みに移る。
【００３３】
そして、ステップ１０３でデータ番号が偶数である場合には、基準波形を発生させる（ステップ１０４）。この基準波形は、例えば中央制御装置８に接続されたＲＯＭ１１にデータとして記憶させてあり、図６に示すように、タイミングｔ０でＩデータが１、Ｑデータが−１で、タイミングｔ２でＩデータが−１、Ｑデータが１の波形（パターン）で、タイミングｔ１，ｔ３の値については定義してない。この基準波形の出力処理としては、累積加算値の最上位ビットを出力することにより、Ｑデータ用の基準信号を出力する。続いて、累積加算値に定数１２８を加算した後、累積加算値の最上位ビットを出力することにより、Ｉデータ用の基準信号を出力する。
【００３４】
そして次に、この基準波形と入力データとの相関値を計算する（ステップ１０５）。この相関値の検出処理は、ＩデータとＱデータをＩｉ，Ｑｉ、基準波形の値を複素共役数で表してＴｉｉ  ，Ｔｑｉ  とし、相関の長さをｎに設定したとき、計算のための中間値Ｃｉが、次式により算出される。
【００３５】
【数１】
Ｃｉ＝（ＩｉＴｉｉ  ＋ＱｉＴｑｉ  ）＋ｊ（ＱｉＴｉｉ  ＋ＩｉＴｑｉ  ）
【００３６】
そして、この中間値Ｃｉを使用して、次式により相関値Ｃｏｒｒが求まる。
【００３７】
【数２】
0003624547.tif 000002
【００３８】
次に、データ及び相関値のパワーを算出する（ステップ１０６）。即ち、次式によりデータのパワーＰｏｗｅｒｒｅｃ  を算出する。
【００３９】
【数３】
Ｐｏｗｅｒｒｅｃ  ＝Ｉｉ２  ＋Ｑｉ２  
【００４０】
また、次式により相関値のパワーＰｏｗｅｒｃｏｒ  を算出する。
【００４１】
【数４】
Ｐｏｗｅｒｃｏｒ  ＝｜Ｃｏｒｒｋ  ｜２  
【００４２】
そして、算出されたパワーの大小の比較を行う（ステップ１０７）。この比較としては、次式による演算を行う。
【００４３】
【数５】
Ｐｏｗｅｒｒｅｃ  −Ｐｏｗｅｒｃｏｒ  ×ｔｈｒｅｓｈｏｌｄ  ≦０
なお、ｔｈｒｅｓｈｏｌｄ  は判定のための閾値を示す。
【００４４】
そして、この演算処理で、この関係式を満足するか否か判断し、その結果でＦＣＣＨを検出したか否か判断する（ステップ１０８）。即ち、〔数５〕式の関係式の左辺がプラスである場合には、ＦＣＣＨと判定されないと判断して、ステップ１０９に移ってカウント値を０に初期化して、ステップ１０２に戻る。
【００４５】
そして、〔数５〕式の関係式の左辺がマイナス又は０になる場合には、ＦＣＣＨと判定されると判断し、カウント値を＋１する（ステップ１１０）。そして、このカウント値が一定の値Ｎ１  を越えたか否か判断し、越えたと判断した場合には、連続したＦＣＣＨの波形を検出したと判断して、ＦＣＣＨを正しく検出したと最終的に判断する（ステップ１１２）。そして、カウント値がＮ１  を越えてない場合には、ステップ１０２に戻って、ＦＣＣＨの検出処理を継続させる。
【００４６】
このようにして検出処理を行うことで、入力データを２サンプリングに１回だけ使用して、ＦＣＣＨを検出することができる。従って、１サンプル毎の入力データを使用してＦＣＣＨを検出する場合に比べて、検出回路での検出処理に要する負担を少なくすることができ、送受信データ処理用のＤＳＰ内での処理でＦＣＣＨを良好に検出できるようになる。また、このデータ処理用ＤＳＰでＦＣＣＨを検出させた場合には、このＤＳＰで他の仕事を行う余裕が生じ、端末装置用のＤＳＰとして良好に機能する。また、ＤＳＰで他に行うべき仕事がない場合には、ＤＳＰでＦＣＣＨの検出に要する電力を低減させることができ、端末装置の消費電力を低減させることが可能になる。
【００４７】
そして本例においては、相関パワーの比較処理を行うので、偽ＦＣＣＨである場合にはステップ１０８でＦＣＣＨでないと判断され、ＦＣＣＨだけを正確に検出することができる。
【００４８】
なお、上述した処理でＦＣＣＨを一度検出した後は、周波数誤差の計算処理時に、ＦＣＣＨの再検出処理を行う。この再検出処理についても、図６のフローチャートと同様の処理で再検出処理を行っても良いが、ここでのＦＣＣＨ検出確認処理はそれほど厳密なものは必要ないので、相関検出の途中のある一点で入力データと相関値のパワー比較を行い、これがＦＣＣＨ検出条件を満足していれば、それで良いこととして、後の処理誤差の計算を行うようにしても良い。
【００４９】
即ち、図６のフローチャートの処理では、ある期間にパワーの大小の比較で、〔数５〕式の関係式の左辺がマイナスになることでＦＣＣＨ波形が継続的に続くことを確認しているが、ここでのＦＣＣＨ再検出処理では、その継続性はそれほど重要ではないので（信号が偽ＦＣＣＨでないことを確認できれば良いので）、ＦＣＣＨが確実にあると思われるところで、一回だけ〔数５〕式のパワー比較を行い、それがＦＣＣＨか調べれば良い。
【００５０】
ここで、ＦＣＣＨが確実にあると思われる場所とは、最初のＦＣＣＨ検出である程度ＦＣＣＨの場所は判るが位置検出誤差が含まれているので、その誤差を考慮して確実にＦＣＣＨがある場所と言う意味であり、その位置での相関値を利用すれば、確実なＦＣＣＨ検出ができる。具体的には、例えば図８に示すように、ＦＣＣＨの継続する期間と、ＦＣＣＨの位置検出誤差との関係があるとき、ＦＣＣＨの位置検出が前，後のいずれにずれても、相関窓内のデータはＦＣＣＨがある場所から取ることになる。
【００５１】
また、一回だけ相関パワーの比較計算を行ってＦＣＣＨと偽ＦＣＣＨの判別を行う代わりに、最初のＦＣＣＨの検出処理のときのように複数回相関パワーの比較を行っても良い。このとき、相関値を連続して使用する必要はなく、例えば一回おきに数回パワー比較を行い、ＦＣＣＨ検出の確認をしても良い。また、このとき検出に使用する閾値も、最初のＦＣＣＨ検出作業時の値と同じ値を使用する必要はなく、ＦＣＣＨの検出確率を考慮しながら値を増減させても良い。
【００５２】
次に、相関パワー比較を一回だけ行ってＦＣＣＨの検出再確認処理を行い、周波数誤差計算処理を行う場合の処理を、図８のフローチャートに示す。以下、その処理について説明すると、まず、サンプル数をカウントするカウンタ及び累積加算を値０にセットすると共に、演算用の定数を値６４に設定し、これにより相関検出処理に必要な変数を初期化する（ステップ２０１）。続いてデータ処理用ＤＳＰ１７は、Ｉデータ及びＱデータを取り込む（ステップ２０２）。
【００５３】
そして次に、基準波形を発生させる（ステップ２０３）。この基準波形は、例えばＲＯＭ１１に記憶されたデータを使用して発生させるものである。そして、この基準波形と入力データとの相関値を計算する（ステップ２０４）。この相関値の検出処理は、上述した図５のフローチャートでのＦＣＣＨの検出時に説明した〔数１〕式及び〔数２〕式に基づいて算出される。
【００５４】
そして次に、ＦＣＣＨの再判定を行うか否か判断する（ステップ２０５）。この判断としては、所定番目の相関値Ｃｏｒｒを利用して判断する。ここで、再判定を行うと判断した場合には、データ及び相関値のパワーを算出する（ステップ２０６）。このデータ及び相関値のパワーを算出処理としては、上述した図５のフローチャートでのＦＣＣＨの検出時に説明した〔数３〕式及び〔数４〕式に基づいて算出される。そして、算出されたパワーの大小の比較を行う（ステップ２０７）。この比較についても、上述した〔数５〕式による演算を行う。なお、ステップ２０５でＦＣＣＨの再判定をしないと判断した場合には、後述するステップ２０９に移る。
【００５５】
そして、ステップ２０７での演算処理で、〔数５〕式の関係式を満足するか否か判断し、その結果でＦＣＣＨを検出したか否か判断する（ステップ２０８）。ここで、ＦＣＣＨと判定される場合には、相関計算を継続させる（ステップ２０９）。また、ＦＣＣＨと判定されない場合には、ＦＣＣＨを誤検出したものとして、周波数測定処理を終了する（ステップ２１０）。
【００５６】
そして、相関計算を継続させた場合には、相関計算ループの回数を判断し（ステップ２１１）、所定回数Ｎ２  を越えた場合には、周波数測定用の相関計算処理を終了する（ステップ２１２）。また、所定回数Ｎ２  を越えてない場合には、ステップ２０２に戻って、検出処理を繰り返し行う。
【００５７】
このように周波数誤差測定のために複数個（ｐ個）の相関値を求める処理を行い、ｐ番目の相関値を求めるときにＦＣＣＨの再判定を行うようにしたことで、周波数誤差検出時のＦＣＣＨの確認のための再検出処理が、簡単な処理で実行できる。このように周波数誤差の測定時に、再度入力データがＦＣＣＨであることの確認処理を行うため、ほとんどＦＣＣＨの誤検出確率の増加なしに、ＦＣＣＨの検出処理を高速化することができる。また、ＦＣＣＨの再確認処理を上述したように周波数誤差測定処理の一部として行うことで、処理回路でのデータ処理量を大きくすることなく、ＦＣＣＨの検出処理を実行することが可能になる。
【００５８】
なお、上述実施例においては、ＧＳＭ方式の無線電話システム用の端末装置での同期データ（ＦＣＣＨ）の検出処理に適用した例としたが、本発明は間欠的に伝送されるバースト信号中の同期信号を基準にして無線伝送されたデータ列を復調する受信装置に広く適用できるものである。
【００５９】
【発明の効果】
本発明のバースト信号受信方法によると、ビット周期よりも長いサンプリング周期でサンプリングされた少ないデータから同期データの検出処理が行われ、少ないデータ処理で同期データを検出できるようになる。従って、同期データの検出処理を高速化することが可能になると共に、ＤＳＰなどでの割り込み処理で同期データを検出することが容易に行え、高速で伝送される同期データを簡単な処理で確実に検出できるようになる。
【００６０】
この場合、比較によりほぼ一致が検出されたとき、受信したデータをビット周期より長いサンプリング周期でサンプリングされたデータに基づいて、特定の同期データの確認を行うことで、同期データの誤検出を防止することができる。
【００６１】
さらに、この特定データの確認を行う場合に、受信データの相関パワーに基づいて、データを確認するようにしたことで、良好かつ簡単に同期データの確認ができるようになる。
【００６２】
また本発明のバースト信号受信装置によると、ビット周期よりも長いサンプリング周期でサンプリングされた少ないデータから同期データの検出処理が行われ、少ないデータ処理で同期データを検出できる受信装置が得られる。従って、同期データの検出処理を高速化できると共に、ＤＳＰなどでの割り込み処理で同期データを検出することが容易に行え、専用の同期データの検出回路を設けることなく、高速で伝送される同期データを確実に検出できるようになる。また、このように簡単な処理で検出できることから、受信装置で同期データを検出するための消費電力を低減させることができる。
【００６３】
この場合、比較によりほぼ一致が検出されたとき、受信したデータをビット周期より長いサンプリング周期でサンプリングされたデータに基づいて、特定の同期データの確認を行うことで、同期データの誤検出を防止した受信装置が得られる。
【００６４】
さらに、この特定データの確認を行う場合に、受信データの相関パワーに基づいて、データを確認するようにしたことで、良好かつ簡単に同期データの確認ができる受信装置が得られる。
【図面の簡単な説明】
【図１】本発明の一実施例による端末装置を示すブロック図である。
【図２】一実施例の端末装置の受信部を示すブロック図である。
【図３】ＦＣＣＨのＩ，Ｑ座標上での動きを示す説明図である。
【図４】偽ＦＣＣＨの説明に供する波形図である。
【図５】一実施例によるＦＣＣＨの検出処理を示すフローチャートである。
【図６】検出時に使用する基準パターンを示す説明図である。
【図７】ＦＣＣＨの位置検出誤差を示すタイミング図である。
【図８】一実施例によるＦＣＣＨの検出再確認処理を示すフローチャートである。
【図９】ＦＣＣＨの説明に供する波形図である。
【符号の説明】
１  端末装置、２  アンテナ、４  ＲＦ処理回路、５  データ処理回路、６  音声処理回路、８  中央制御装置（ＣＰＵ）、１６  アナログ／デジタル変換器、１７  データ処理用ＤＳＰ、１８  音声処理用ＤＳＰ
【図１】
0003624547.tif 000003
【図２】
0003624547.tif 000004
【図３】
0003624547.tif 000005
【図４】
0003624547.tif 000006
【図５】
0003624547.tif 000007
【図６】
0003624547.tif 000008
【図７】
0003624547.tif 000009
【図８】
0003624547.tif 000010
【図９】
0003624547.tif 000011